(57)【特許請求の範囲】
【請求項１】
島設備内を循環する遊技球を受け得る受け手段と、
プーリに懸架されて当該プーリ間で回動可能な無端状部材から成るとともに、前記受け手段で受けた遊技球が供給されて搬送可能な搬送ベルトと、
該搬送ベルトの搬送面に対向して配設され、当該搬送ベルトとの間で遊技球を挟持しつつその遊技球の外周面を研磨可能な研磨手段と、
前記受け手段に形成され、遊技球を通過させつつ前記搬送ベルトに案内させ得る溝と、
を具備し、前記搬送ベルトの回動により当該搬送ベルトと前記研磨手段との間で挟持された遊技球を当該回動方向に搬送可能な遊技球研磨装置において、
前記受け手段は、所定個数の遊技球を貯留可能とされるとともに、その貯留された遊技球が所定個数に達すると、前記受け手段が揺動又は移動することにより、前記溝と前記搬送ベルトの搬送面との離間寸法が、遊技球が通過できない状態から遊技球が通過できる状態に変化して、遊技球が搬送可能となることを特徴とする遊技球研磨装置。
【請求項２】
前記受け手段は、前記溝が幅方向に複数形成されたことを特徴とする請求項１記載の遊技球研磨装置。
【請求項３】
前記受け手段は、貯留された遊技球が所定個数に達すると、その遊技球の自重によって移動し、前記搬送ベルトに当該遊技球を供給可能とされたことを特徴とする請求項１又は請求項２記載の遊技球研磨装置。
【請求項４】
前記搬送ベルトを駆動開始させる駆動スイッチを具備するとともに、前記受け手段は、所定個数の遊技球が前記搬送ベルトに供給されるとき、当該駆動スイッチをオンして当該搬送ベルトの駆動を開始させることを特徴とする請求項１〜３の何れか１つに記載の遊技球研磨装置。
【発明の詳細な説明】
【技術分野】
【０００１】
本発明は、パチンコ遊技機が複数並列に設置されたパチンコ遊技機の島設備に取り付けられ、当該島設備内で循環する遊技球の外周面を研磨するための遊技球研磨装置に関するものである。
【背景技術】
【０００２】
パチンコ遊技機の島設備は、パチンコ店内ホールに設置され、複数のパチンコ遊技機が横並びに配設されるとともに、それらパチンコ遊技機に対して電力の供給や遊技球の供給及び回収等を行い得るよう構成されている。かかるパチンコ遊技機の島設備においては、通常、パチンコ遊技球から排出された遊技球を回収するアウトレールと、該アウトレールで回収された遊技球を貯留する島中タンクと、島上に配設されて遊技球を貯留可能な島上タンクと、島中タンクで貯留した遊技球を島上タンクまで揚送する揚送機と、島設備内で循環する遊技球の外周面を研磨する遊技球研磨装置とが配設されている。
【０００３】
遊技球研磨装置は、従来より、島設備内を循環する遊技球を受け得る受け手段と、プーリに懸架されて当該プーリ間で回動可能とされ、受け手段で受けた遊技球が供給されて搬送可能な無端状の搬送ベルトと、該搬送ベルトの搬送面に対向して配設され、当該搬送ベルトとの間で遊技球を挟持しつつその遊技球の外周面を研磨可能な研磨布とを具備し、搬送ベルトの回動により当該搬送ベルトと研磨布との間で挟持された遊技球を当該回動方向に搬送可能とされていた（例えば特許文献１参照）。
【先行技術文献】
【特許文献】
【０００４】
【特許文献１】特開２０１０−１４８５６３号公報
【発明の概要】
【発明が解決しようとする課題】
【０００５】
しかしながら、上記従来の遊技球研磨装置は、以下の如き問題があった。
すなわち、遊技球研磨装置における搬送ベルトに遊技球を導くための受け手段は、通常、遊技球を案内するための溝が幅方向に亘って複数列形成されているが、遊技球が当該受け手段において常時均等に流れて研磨されるわけではなく、所定の溝に偏って流れたり或いはまばらなタイミングで流れたりすることがある。
【０００６】
この場合、遊技球の通過により搬送ベルトに加わる圧が不均等になってしまい、結果として回動する搬送ベルトが横方向（すなわち、搬送ベルトを懸架するプーリの軸方向）に蛇行してしまう虞があり、当該搬送ベルトの蛇行によって遊技球の研磨或いは搬送が良好に行われなくなってしまう可能性があった。さらに、搬送ベルトの横方向への蛇行が著しいと、当該搬送ベルトと遊技球研磨装置における搬送ベルトの周辺部品とが干渉してしまう虞があり、その場合、搬送ベルトが破損又は変形してしまうという問題があった。
【０００７】
本発明は、このような事情に鑑みてなされたもので、搬送ベルトの横方向の蛇行を抑制することができる遊技球研磨装置を提供することにある。
【課題を解決するための手段】
【０００８】
請求項１記載の発明は、島設備内を循環する遊技球を受け得る受け手段と、プーリに懸架されて当該プーリ間で回動可能な無端状部材から成るとともに、前記受け手段で受けた遊技球が供給されて搬送可能な搬送ベルトと、該搬送ベルトの搬送面に対向して配設され、当該搬送ベルトとの間で遊技球を挟持しつつその遊技球の外周面を研磨可能な研磨手段と、前記受け手段に形成され、遊技球を通過させつつ前記搬送ベルトに案内させ得る溝とを具備し、前記搬送ベルトの回動により当該搬送ベルトと前記研磨手段との間で挟持された遊技球を当該回動方向に搬送可能な遊技球研磨装置において、前記受け手段は、所定個数の遊技球を貯留可能とされるとともに、その貯留された遊技球が所定個数に達すると、前記受け手段が揺動又は移動することにより、前記溝と前記搬送ベルトの搬送面との離間寸法が、遊技球が通過できない状態から遊技球が通過できる状態に変化して、遊技球が搬送可能となることを特徴とする。
【０００９】
請求項２記載の発明は、請求項１記載の遊技球研磨装置において、前記受け手段は、前記溝が幅方向に複数形成されたことを特徴とする。
【００１０】
請求項３記載の発明は、請求項１又は請求項２記載の遊技球研磨装置において、前記受け手段は、貯留された遊技球が所定個数に達すると、その遊技球の自重によって揺動し、前記搬送ベルトに当該遊技球を供給可能とされたことを特徴とする。
【００１１】
請求項４記載の発明は、請求項１〜３の何れか１つに記載の遊技球研磨装置において、前記搬送ベルトを駆動開始させる駆動スイッチを具備するとともに、前記受け手段は、所定個数の遊技球が前記搬送ベルトに供給されるとき、当該駆動スイッチをオンして当該搬送ベルトの駆動を開始させることを特徴とする。
【発明の効果】
【００１２】
請求項１の発明によれば、受け手段は、所定個数の遊技球を貯留可能とされるとともに、その貯留された遊技球が所定個数に達すると、受け手段が揺動又は移動することにより、溝と搬送ベルトの搬送面との離間寸法が、遊技球が通過できない状態から遊技球が通過できる状態に変化して、遊技球が搬送可能となるので、搬送ベルトの横方向の蛇行を抑制することができる。
【００１３】
請求項２の発明によれば、受け手段は、溝が幅方向に複数形成されたので、搬送ベルトに対して幅方向に亘って略均等に且つスムーズに遊技球を供給させることができる。
【００１４】
請求項３の発明によれば、受け手段は、貯留された遊技球が所定個数に達すると、その遊技球の自重によって移動し、搬送ベルトに当該遊技球を供給可能とされたので、受け手段の移動のための駆動源を別個配設する必要がなく、製造コスト及びランニングコストを低減させることができる。
【００１５】
請求項４の発明によれば、搬送ベルトを駆動開始させる駆動スイッチを具備するとともに、受け手段は、所定個数の遊技球が搬送ベルトに供給されるとき、当該駆動スイッチをオンして当該搬送ベルトの駆動を開始させるので、常時搬送ベルトを駆動させるものに比べ、ランニングコスト及び当該搬送ベルトの駆動に伴う騒音を低減させることができる。
【図面の簡単な説明】
【００１６】
【図１】本発明の実施形態に係る遊技球研磨装置を示す全体外観図
【図２】同遊技球研磨装置における搬送ベルトが組み付けられる部品を示す斜視図
【図３】同遊技球研磨装置を示す正面図
【図４】同遊技球研磨装置を示す断面模式図
【図５】同遊技球研磨装置における研磨作用及び搬送作用を説明するための模式図
【図６】同遊技球研磨装置における受け手段（揺動前）を示すための断面図
【図７】同遊技球研磨装置における受け手段（揺動後）を示すための断面図
【図８】同遊技球研磨装置が適用されるパチンコ遊技機の島設備を示す模式図
【発明を実施するための形態】
【００１７】
以下、本発明の実施形態について図面を参照しながら具体的に説明する。
本実施形態に適用されるパチンコ遊技機の島設備は、図８に示すように、遊技店に設置されるとともにパチンコ遊技機２が複数並列して設置された島状のものから成る。かかる島設備１は、それぞれのパチンコ遊技機２に電力を供給し得るとともに、各パチンコ遊技機２に遊技球を供給し或いは回収する流路（レール等）を具備したものである。
【００１８】
パチンコ遊技機２は、ガラス板が取り付けられた前面枠を有しており、該ガラス板から遊技者が遊技盤を目視し得るように構成されており、この遊技盤の遊技領域には、図柄表示手段、始動口や大入賞口等の種々役物が配設されている。そして、ハンドルを回転操作することにより、遊技球が遊技盤に発射され、所定の入賞口に入賞或いは最下のアウト穴に至るよう構成されている。
【００１９】
島設備１は、パチンコ遊技機２に電力を供給し得る電力供給手段（不図示）を具備するとともに、島中タンク７ａ、７ｂと、アウトレール８と、遊技球研磨装置９と、揚送機１０とが内部に設置されている。この島設備１の一端（図１中左側島端）には、Ｊ／Ｃ１１（ジェットカウンターと称される計数機）が配設されており、当該Ｊ／Ｃ１１から受け入れた遊技球が島中タンク７ａ（Ｊ／Ｃ側島中タンク）に流入し得るよう構成されている。更に、島設備１は、島上に配設された島上タンク３と、該島上タンク３から図８中左右方向にそれぞれ延設された補給樋４ａ、４ｂと、同方向にそれぞれ延設されたオーバーフロー樋５ａ、５ｂとを有している。
【００２０】
アウトレール８は、パチンコ遊技機２から排出された遊技球を回収するための流路から成り、各パチンコ遊技機２から排出された遊技球が当該アウトレール８を介して島中タンク７ａ、７ｂに至るようになっている。島中タンク７ａ、７ｂは、アウトレール８で回収された遊技球を貯留するためのもので、島設備１の下部に固設されている。島上タンク３は、島設備１の上面（島上）に配設されるとともに、各パチンコ遊技機２に対して補給すべき遊技球が貯留されるものである。具体的には、島上タンク３は、揚送機１０の先端が接続され、当該揚送機１０にて揚送された遊技球を貯留しつつその遊技球を、補給樋（一方の補給樋４ａ、他方の補給樋４ｂ）及びオーバーフロー樋５ａ、５ｂから流出させるものである。
【００２１】
補給樋（一方の補給樋４ａ、他方の補給樋４ｂ）は、島上タンク３の両側面から島端（図８における島設備１の左側端及び右側端）に向かって下方に傾斜しつつ延設され、当該島上タンク３内の遊技球を流出させて各パチンコ遊技機２に補給し得る流路から成るものである。オーバーフロー樋は、補給樋（４ａ、４ｂ）からオーバーフローした遊技球を流出させて一方の島端側に配設された島中タンク７ａ（Ｊ／Ｃ側島中タンク）に流下させる一方のオーバーフロー樋５ａ、及び補給樋（４ａ、４ｂ）からオーバーフローした遊技球を流出させて他方の島端側に配設された島中タンク７ｂ（反Ｊ／Ｃ側島中タンク）に流下させる他方のオーバーフロー樋５ｂから成る。
【００２２】
しかして、島上タンク３内の遊技球は、補給樋４ａ、４ｂを流れて各パチンコ遊技機２に補給されるとともに、当該パチンコ遊技機２から排出され、アウトレール８を介して島中タンク７ａ、７ｂに至る。その後、島中タンク７ａ、７ｂ内に至った遊技球は、遊技球研磨装置９により研磨された後、揚送機１０にて再び島上タンク３まで揚送され、当該島上タンク３から補給樋４ａ、４ｂを介して各パチンコ遊技機２に補給されることとなる。このように、遊技球は、島設備１内において循環するものとされている。尚、オーバーフロー樋５ａ、５ｂのそれぞれの先端にはエンド落し金具６ａ、６ｂが形成されており、当該エンド落し金具６ａ、６ｂから延びる流路６ａａ、６ｂａを介してオーバーフローした遊技球が島中タンク７ａ、７ｂに流下するものとされる。
【００２３】
ここで、本実施形態に係る遊技球研磨装置９は、アウトレール８を介して各パチンコ遊技機２から回収された遊技球の外周面を研磨するためのもので、図１〜７に示すように、搬送ベルト１２と、研磨手段としての研磨布１６と、受け手段１９とを具備したものである。なお、図中符号Ｂは、遊技球研磨装置９が固定されるベース部材を示し、Ｆは、遊技球研磨装置９におけるフレームを示している。
【００２４】
搬送ベルト１２は、図２に示すように、プーリＲ１、Ｒ２に懸架されるとともに当該プーリ（Ｒ１、Ｒ２）間で回動可能な無端状のベルト材から成るものである。かかるプーリＲ１は、モータＭ（図３参照）の出力軸と連結された駆動軸Ｌ１に取り付けられた駆動プーリから成るとともに、プーリＲ２は、従動軸Ｌ２に取り付けられた従動プーリから成るものである。なお、駆動軸Ｌ１及び従動軸Ｌ２は、一対のフレーム板１３の間にそれぞれ回転自在に取り付けられている。
【００２５】
また、フレーム板１３の所定部位には、回転自在な回転軸Ｌ３が取り付けられており、この回転軸Ｌ３にフリープーリＲ３が取り付けられる。かかるフリープーリＲ３は、テンションプーリＲ４との間で当該搬送ベルト１２に対して所定のテンション（張力）を付与させ得るものである。テンションプーリＲ４は、搬送ベルト１２におけるプーリＲ２とフリープーリＲ３との間の部位を押圧し得るもので、押圧寸法に応じて搬送ベルト１２に対してテンションを付与させ得るよう構成されている。
【００２６】
なお、本遊技球研磨装置９の上部には、図１、４に示すように、遊技球排出部Ｔが配設されている。かかる遊技球排出部Ｔは、搬送ベルト１２にて搬送された遊技球を順次排出させて揚送機１０に供給させる排出路が形成された排出部位Ｔａと、テンションプーリＲ４をバネ等にて弾性支持した支持部材Ｔｂとが形成されたもので、軸Ｌａを中心に揺動自在とされている。そして、支持部材Ｔｂは、テンションプーリＲ４を支持するとともに、搬送ベルト１２に対する押圧寸法が調整され得るようになっている。
【００２７】
さらに、一対のフレーム板１３の間には、複数のガイドローラＲ５が配設されており、これらガイドローラＲ５によって搬送ベルト１２における搬送面１２ａの裏面側をガイドし得るようになっている。そして、駆動源としてのモータＭを駆動させると、搬送ベルト１２は、ガイドローラＲ５にてガイドされつつプーリＲ１、Ｒ２間を回動し得るよう構成されている。なお、搬送ベルト１２は、上述の通り、プーリＲ１、Ｒ２に懸架され、これらプーリＲ１、Ｒ２間を回動し得るよう構成されているので、当該搬送ベルト１２の搬送面１２ａ側の部位Ａ１と、当該搬送面１２ａとは反対側の戻り面側の部位Ａ２とに区分けすることができる。
【００２８】
一方、搬送ベルト１２の搬送面１２ａと対向する部位には、押圧部材１４が配設されている。かかる押圧部材１４は、フレームＦに連結された研磨手段本体１５に配設された部材から成り、スプリング等の付勢手段（不図示）によって、搬送ベルト１２の搬送面１２ａに向かって付勢されるとともに、当該搬送ベルト１２の搬送面１２ａとの間に研磨手段としての研磨布１６が敷設可能とされている。
【００２９】
より具体的には、押圧部材１４における搬送ベルト１２の搬送面１２ａと対向した面には、図５に示すように、断面が遊技球を嵌め込み可能な凹部から成り、遊技球の搬送方向に向かって形成された複数の溝１４ａが形成されており、その溝１４ａが形成された面に研磨布１６が敷設されるよう構成されている。搬送ベルト１２ａの搬送面１２ａと研磨布１６の研磨面１６ａとの間の寸法は、遊技球の外径より若干小さく設定されており、当該搬送面１２ａと研磨面１６ａとで遊技球を挟持し得るようになっている。
【００３０】
しかして、遊技球は、搬送ベルト１２の搬送面１２ａと研磨布１６とにより挟持され、搬送ベルト１２が回動することにより、搬送面１２ａ及び研磨面１６ａの摩擦抵抗によって溝１４ａに沿って流動し、搬送ベルト１２の回動方向に向かって搬送されるとともに、搬送ベルト１２の搬送面１２ａと研磨布１６とにより挟持されつつ搬送される過程で、当該研磨布１６の研磨面１６ａにより外周面が擦られて研磨されることとなる。
【００３１】
本遊技球研磨装置の下部には、島設備１内を循環する遊技球を受け得る受け手段１９が配設されている。かかる受け手段１９には、押圧部材１４に形成された溝１４ａと対応して成るとともに遊技球を通過させつつ搬送ベルト１２に案内させ得る複数の溝１９ａ（図１、３参照）が形成されており、アウトレール８にて回収された遊技球が受け手段１９を介して搬送ベルト１２の搬送面１２ａと研磨布１６の研磨面１６ａとの間に順次導入されるようになっている。
【００３２】
研磨布１６は、長尺状の布（表面が遊技球の外周面を研磨可能な不織布など）から成るもので、一端側（未使用側）が回転自在なローラ部１７にて巻き取られるとともに、他端側（使用済側）が図示しないモータ等の駆動源に連結されたローラ部１８にて巻き取られて構成されている。かかる研磨布１６におけるローラ部１７とローラ部１８との間の部位が押圧部材１４上に敷設されて搬送ベルト１２の搬送面１２ａと対向することとなる。なお、図中符号Ｒ６は、研磨布１６をガイドするガイドローラを示している。
【００３３】
しかるに、図示しない駆動源を駆動してローラ部１８を回転駆動させると、研磨布が当該ローラ部１８にて巻き取られるとともに、ローラ部１７から未使用の研磨布１６が繰り出されるようになっている。これにより、長期使用により、搬送ベルト１２の搬送面１２ａと対向する研磨布１６の部位が消耗した際、ローラ部１８を回転駆動させることにより、未使用の部位を搬送ベルト１２の搬送面１２ａと対向させて遊技球の研磨を行わせることができる。
【００３４】
ここで、本実施形態に係る遊技球研磨装置においては、受け手段１９が、所定個数の遊技球を貯留可能とされるとともに、その貯留された遊技球が所定個数に達すると、搬送ベルト１２に供給可能とされている。より具体的には、受け手段１９は、図６に示すように、ベース部材Ｂに固定された固定ベース１９ｂに対して軸部材Ｌを中心に揺動可能とされるとともに複数のコイルスプリング１９ｃを介して支持されており、貯留された遊技球が所定個数に達するまで（遊技球の総重量が所定値を超えるまで）、同図の状態（すなわち、溝１９ａと搬送ベルト１２の搬送面１２ａとの離間寸法が遊技球を通過させるのに満たない状態）に保持されている。
【００３５】
そして、受け手段１９に貯留された遊技球が所定個数に達すると（遊技球の総重量が所定値を超えると）、その遊技球の自重によって、当該受け手段１９は、図７に示すように、コイルスプリング１９ｃの付勢力に抗して軸部材Ｌを中心に同図中矢印ａ方向に揺動する。これにより、溝１９ａが同図中矢印ｂ方向（下方）に移動することにより、当該溝１９ａと搬送ベルト１２の搬送面１２ａとの離間寸法が遊技球を通過させ得る状態となり、貯留した遊技球を順次搬送ベルト１２側へ供給可能とされている。
【００３６】
さらに、本実施形態に係る受け手段１９は、固定ベース１９ｂに駆動スイッチとしての検知センサ２０が配設されている。かかる検知センサ２０は、作動部２０ａを有し、搬送ベルト１２の駆動手段（モータＭの駆動を制御する部材）に電気的に接続されるとともに、揺動した受け手段１９が作動部２０ａに接触すると、検知センサ２０がオンして搬送ベルト１２を駆動させ得る（すなわち、モータＭを駆動開始させる）ものとされている。
【００３７】
しかして、受け手段１９に貯留された遊技球が所定個数に達して、図７で示す如く受け手段１９が軸部材Ｌを中心に揺動し、貯留した遊技球を搬送ベルト１２に供給する際、当該受け手段１９と検知センサ２０の作動部２０ａとが当接して当該検知センサ２０がオンし、搬送ベルト１２の駆動が開始するよう構成されている。すなわち、受け手段１９に遊技球が所定個数貯留されるまでは、搬送ベルト１２が停止した状態とされ、当該受け手段１９に遊技球が所定個数貯留されて搬送ベルト１２側に供給される際に当該搬送ベルト１２が駆動して遊技球を研磨可能とされているのである。
【００３８】
なお、同図中符号Ｄは、受け手段１９の矢印ａ方向の揺動を許容するとともに、コイルスプリング１９ｃによって上方へ付勢された受け手段１９と図６の状態（上限）にて干渉し、当該受け手段の更なる上方への揺動を規制するための規制部材を示している。また、軸部材Ｌ及び規制部材Ｄは、固定ベース１９ｂに形成された左右一対の取付板材１９ｂａに亘って取り付けられている。
【００３９】
本実施形態においては、受け手段１９をコイルスプリング１９ｃにて支持しているが、当該受け手段１９を上方へ付勢しつつ支持するものであれば他の汎用的な付勢手段（板バネ等）を用いるようにしてもよい。また、本実施形態に係る受け手段１９は、貯留された遊技球が所定個数に達すると軸部材Ｌを中心に揺動可能とされているが、貯留された遊技球が所定個数に達すると所定方向に摺動して搬送ベルト１２に供給可能とされたものとしてもよい。
【００４０】
上記実施形態によれば、受け手段１９は、所定個数の遊技球を貯留可能とされるとともに、その貯留された遊技球が所定個数に達すると、搬送ベルト１２に供給可能とされたので、搬送ベルト１２に対してその幅方向に不均一又はまばらに供給されてしまうのを回避することができ、搬送ベルト１２の横方向の蛇行を抑制することができる。特に、本実施形態に係る受け手段１９は、遊技球を通過させつつ搬送ベルト１２に案内させ得る溝１９ａが幅方向に複数形成されたので、搬送ベルト１２に対して幅方向に亘って略均等に且つスムーズに遊技球を供給させることができる。
【００４１】
また、受け手段１９は、貯留された遊技球が所定個数に達すると、その遊技球の自重によって移動（本実施形態においては揺動）し、搬送ベルト１２に当該遊技球を供給可能とされたので、受け手段１９の移動（揺動）のための駆動源を別個配設する必要がなく、製造コスト及びランニングコストを低減させることができる。さらに、搬送ベルト１２を駆動開始させる検知センサ２０（駆動スイッチ）を具備するとともに、受け手段１９は、所定個数の遊技球が搬送ベルト１２に供給されるとき、当該検知センサ２０をオンして当該搬送ベルト１２の駆動を開始させるので、常時搬送ベルト１２を駆動させるものに比べ、ランニングコスト及び当該搬送ベルト１２の駆動に伴う騒音を低減させることができる。
【００４２】
以上、本実施形態について説明したが、本発明はこれに限定されるものではなく、例えば受け手段に貯留された遊技球が所定個数に達したことを検知する検知手段と、該検知手段にて遊技球が所定個数に達したと検知されたことを条件として、受け手段を揺動又は摺動させ、貯留した遊技球を搬送ベルトに供給可能とする駆動手段とを具備したものとしてもよい。
【００４３】
また、本実施形態においては、搬送ベルト１２を駆動開始させる駆動スイッチが作動部２０ａを具備した検知センサ２０とされているが、当該検知センサ２０に代えて他の駆動スイッチ（非接触式等含む）としてもよい。さらに、本実施形態においては、受け手段１９は、所定個数の遊技球が搬送ベルト１２に供給されるとき、駆動スイッチをオンして当該搬送ベルト１２の駆動を開始させるよう構成されているが、搬送ベルト１２が常時駆動させるものとして駆動スイッチを不要としてもよい。
【００４４】
なお、本実施形態においては、研磨手段が長尺状の研磨布１６で構成されているが、搬送ベルト１２の搬送面１２ａに対向して配設され、当該搬送ベルト１２との間で遊技球を挟持しつつその遊技球の外周面を研磨可能なものであれば、他の形態のものであってもよい。
【産業上の利用可能性】
【００４５】
受け手段は、所定個数の遊技球を貯留可能とされるとともに、その貯留された遊技球が所定個数に達すると、受け手段が揺動又は移動することにより、溝と搬送ベルトの搬送面との離間寸法が、遊技球が通過できない状態から遊技球が通過できる状態に変化して、遊技球が搬送可能となる遊技球研磨装置であれば、外観形状が異なるもの或いは他の機能が付加されたもの等に適用することができる。
【符号の説明】
【００４６】
１  パチンコ遊技機の島設備
２  パチンコ遊技機
３  島上タンク
４ａ、４ｂ  補給樋
５ａ  一方の流出樋（オーバーフロー樋）
５ｂ  他方の流出樋（オーバーフロー樋）
６ａ、６ｂ  エンド落し金具
７ａ、７ｂ  島中タンク
８  アウトレール
９  遊技球研磨装置
１０  揚送機
１１  Ｊ／Ｃ
１２  搬送ベルト
１３  フレーム板
１４  押圧部材
１５  研磨手段本体
１６  研磨布（研磨手段）
１７  ローラ部
１８  ローラ部
１９  受け手段
２０  検知センサ（駆動スイッチ）
【図１】
0005866197.tif 000002
【図２】
0005866197.tif 000003
【図３】
0005866197.tif 000004
【図４】
0005866197.tif 000005
【図５】
0005866197.tif 000006
【図６】
0005866197.tif 000007
【図７】
0005866197.tif 000008
【図８】
0005866197.tif 000009